(57)【要約】【課題】ホワイトバランスの調整ずれを防止して、適切な白を再現することができる撮像装置を提供する。【解決手段】撮像装置は、撮像手段２１によって撮像された被写体像を表示する表示手段５と、表示手段５をビデオライトとして使用するビデオライトモードにするか否かを選択する選択手段８と、制御部１０を備える。制御部１０は、撮像手段２１によって撮像された被写体像の周囲の色温度を検出し、選択手段８によってビデオライトモードが選択されている場合に、検出した色温度と前記ビデオライトの色温度とを比較して、該比較結果に基づいて、前記ビデオライトの色温度を補正する。【選択図】図２
2009118399.tif 000002
【特許請求の範囲】
【請求項１】
撮像手段によって撮像された被写体像を表示する表示手段を備える撮像装置であって、
前記表示手段をビデオライトとして使用するビデオライトモードにするか否かを選択する第１の選択手段と、
前記撮像手段によって撮像された被写体像の周囲の色温度を検出する検出手段と、
前記第１の選択手段によって前記ビデオライトモードが選択されている場合に、前記検出手段により検出された色温度と前記ビデオライトの色温度とを比較する第１の比較手段と、
該第１の比較手段による比較結果に基づいて、前記ビデオライトの色温度を補正する第１の補正手段と、を備える
ことを特徴とする撮像装置。
【請求項２】
前記撮像手段によって撮像された被写体像を静止画として記録するか動画として記録するかを選択する第２の選択手段と、
該第２の選択手段によって前記被写体像を静止画として記録する選択がされ、かつ前記第１の選択手段によって前記ビデオライトモードが選択されたとき、ストロボの点灯を強制的にＯＦＦにするように制御する制御手段と、を備える
ことを特徴とする請求項１に記載の撮像装置。
【請求項３】
前記撮像手段によって撮像された被写体像を静止画として記録するか動画として記録するかを選択する第２の選択手段と、
該第２の選択手段によって前記被写体像を静止画として記録する選択がされ、かつ前記第１の選択手段によって前記ビデオライトモードが選択されている場合に、ストロボの光の色温度と前記第１の補正手段によって補正された前記ビデオライトの色温度とを比較する第２の比較手段と、
該第２の比較手段による比較結果に基づいて、前記第１の補正手段によって補正された前記ビデオライトの色温度を補正する第２の補正手段と、を備える
ことを特徴とする請求項１に記載の撮像装置。
【請求項４】
前記撮像手段によって撮像された被写体像を静止画として記録するか動画として記録するかを選択する第２の選択手段と、
ストロボの使用が可能な状態において、前記第２の選択手段によって前記被写体像を静止画として記録する選択がされ、かつ前記第１の選択手段によって前記ビデオライトモードが選択されている場合に、前記ビデオライトを強制的に消灯するように制御する制御手段と、を備える
ことを特徴とする請求項１に記載の撮像装置。
【請求項５】
撮像手段によって撮像された被写体像を表示する表示手段を備える撮像装置の制御方法であって、
前記撮像手段によって撮像された被写体像の周囲の色温度を検出する検出ステップと、
前記表示手段をビデオライトとして使用するビデオライトモードにするか否かを選択する選択手段によって前記ビデオライトモードが選択されている場合に、前記検出ステップで検出された色温度と前記ビデオライトの色温度とを比較する比較ステップと、
該比較ステップでの比較結果に基づいて、前記ビデオライトの色温度を補正する補正ステップと、を備える
ことを特徴とする撮像装置の制御方法。
【請求項６】
撮像手段によって撮像された被写体像を表示する表示手段を備える撮像装置の制御プログラムであって、
前記撮像手段によって撮像された被写体像の周囲の色温度を検出する検出ステップと、
前記表示手段をビデオライトとして使用するビデオライトモードにするか否かを選択する選択手段によって前記ビデオライトモードが選択されている場合に、前記検出ステップで検出された色温度と前記ビデオライトの色温度とを比較する比較ステップと、
該比較ステップでの比較結果に基づいて、前記ビデオライトの色温度を補正する補正ステップと、をコンピュータに実行させる
ことを特徴とする撮像装置の制御プログラム。
【発明の詳細な説明】
【技術分野】
【０００１】
本発明は、例えば、デジタルスチルカメラやデジタルビデオカメラ等の撮像装置、撮像装置の制御方法、及び撮像装置の制御プログラムに関する。
【背景技術】
【０００２】
従来のこの種の撮像装置においては、液晶や有機ＥＬ等の表示パネルを全白にし、その光を被写体に向けることでビデオライトとしたものがある（特許文献１）。
【０００３】
図８及び図９に、液晶パネルの光をビデオライトとして用いる従来のビデオカメラを示す。
【０００４】
図８示すように、このビデオカメラ１１０は、カメラ本体１１２の前部にレンズ１１４、後部にカラービューファインダ１１６を有し、側部には液晶モニタ１１８が設けられている。
【０００５】
液晶モニタ１１８は、ヒンジ部１２０を介してカメラ本体１１２に回転自在に取り付けられている。被写体を対面撮影するときは、図８に示すように、液晶モニタ１１８を被写体に向けることにより、液晶モニタ１１８とカラービューファインダ１１６とが同時点灯し、撮影されている人を見ながら撮影できるようになっている。
【０００６】
液晶モニタ１１８は、フレーム１２２に取り付けられた液晶パネル１２４と、液晶パネル１２４の後部に配置されたバックライト１２６（図９参照）とを備えており、これにより、液晶パネル１２４は発光形の表示となっている。
【０００７】
液晶パネル１２４は、一般に全白（光の透過率が最大の状態）にすると、光量が最大となり、ビデオライトを照射しているときと同じ状態となる。この現象を利用することにより、液晶パネル１２４をビデオライトとして機能させる。
【０００８】
図９は、液晶モニタ１１８の制御回路を説明するためのブロック図である。
【０００９】
図９に示すように、液晶モニタ１１８は、ＬＣＤドライブ回路１０１、制御部１０２、撮影モード検出回路１０３、切替スイッチ１０４、電源回路１０５、発振回路１０６、インバータトランス１０７を備える。切替スイッチ１０４により液晶パネル１２４の表示を全白に切替えてビデオライトとして利用する。
【００１０】
すなわち、切替スイッチ１０４をオンすることにより、撮影モード検出回路１０３から制御マイコン１０２を通じてＬＣＤドライブ回路１０１に信号が入力され、液晶パネル１２４を全白にする。これにより、液晶パネル１２４からの光量が最大となって被写体を照射し、ビデオライトの機能をはたすことになる。
【００１１】
また、必要に応じて、全白にしたときの液晶パネル１２４の光量をより増大させるため、バックライト１２６の照度を上げるようにすることも可能である。
【００１２】
すなわち、切替スイッチ１０４のオンで制御部１０２から電源回路１０５に制御信号が入力され、電源回路１０５の電圧をアップすることにより、バックライト１２６の照度を上げることができる。
【特許文献１】特開平１０−１２６６５５号公報
【発明の開示】
【発明が解決しようとする課題】
【００１３】
上記従来の撮像装置では、液晶パネル１２４をビデオライトとして使用した場合、被写体の色温度によって白部分の色が変化しないように自動的に制御することにより、色再現性を良くするオートホワイトバランス調整が設けられている。
【００１４】
このオートホワイトバランス調整を行なうに際しては、色々な照明光源（ビデオライトやストロボなど）に対して、ホワイトバランスを調整する必要がある。
【００１５】
しかし、被写体の周囲の環境色温度と照明光源の色温度とが異なる場合に、照明光源の色温度に合わせてホワイトバランス調整を行なうと、照明光源の届かないところや被写体の周囲光の影響が強いところでホワイトバランスの調整がずれてしまうことがある。
【００１６】
このため、色温度の高い方に合わせてホワイトバランス調整を行なうと青っぽく見え、色温度の低い方に合わせてホワイトバランス調整を行なうと赤っぽく見えてしまうという不具合がある。
【００１７】
そこで、本発明は、ホワイトバランスの調整ずれを防止して、適切な白を再現することができる撮像装置、撮像装置の制御方法、及び撮像装置の制御プログラムを提供することを目的とする。
【課題を解決するための手段】
【００１８】
上記目的を達成するために、本発明の撮像装置は、撮像手段によって撮像された被写体像を表示する表示手段を備える撮像装置であって、前記表示手段をビデオライトとして使用するビデオライトモードにするか否かを選択する第１の選択手段と、前記撮像手段によって撮像された被写体像の周囲の色温度を検出する検出手段と、前記第１の選択手段によって前記ビデオライトモードが選択されている場合に、前記検出手段により検出された色温度と前記ビデオライトの色温度とを比較する第１の比較手段と、該第１の比較手段による比較結果に基づいて、前記ビデオライトの色温度を補正する第１の補正手段と、を備えることを特徴とする。
【００１９】
本発明の撮像装置の制御方法は、撮像手段によって撮像された被写体像を表示する表示手段を備える撮像装置の制御方法であって、前記撮像手段によって撮像された被写体像の周囲の色温度を検出する検出ステップと、前記表示手段をビデオライトとして使用するビデオライトモードにするか否かを選択する選択手段によって前記ビデオライトモードが選択されている場合に、前記検出ステップで検出された色温度と前記ビデオライトの色温度とを比較する比較ステップと、該比較ステップでの比較結果に基づいて、前記ビデオライトの色温度を補正する補正ステップと、を備えることを特徴とする。
【００２０】
本発明の撮像装置の制御プログラムは、撮像手段によって撮像された被写体像を表示する表示手段を備える撮像装置の制御プログラムであって、前記撮像手段によって撮像された被写体像の周囲の色温度を検出する検出ステップと、前記表示手段をビデオライトとして使用するビデオライトモードにするか否かを選択する選択手段によって前記ビデオライトモードが選択されている場合に、前記検出ステップで検出された色温度と前記ビデオライトの色温度とを比較する比較ステップと、該比較ステップでの比較結果に基づいて、前記ビデオライトの色温度を補正する補正ステップと、をコンピュータに実行させることを特徴とする。
【発明の効果】
【００２１】
本発明によれば、ホワイトバランスの調整ずれを防止して、適切な白を再現することができる。
【発明を実施するための最良の形態】
【００２２】
以下、本発明の実施形態を図面を参照して説明する。
【００２３】
（第１の実施形態）
図１は、本発明の第１の実施形態であるビデオカメラ（撮像装置）を説明するための外観斜視図である。
【００２４】
本実施形態のビデオカメラは、図１に示すように、カメラ本体１の前部にレンズ２を有し、カメラ本体１の後部にカラービューファインダ６及び操作キー９を有する。操作キー９は、カメラ本体１の設定をＯＮ／ＯＦＦ操作する切替スイッチである。
【００２５】
カメラ本体１の側部には、液晶モニタ（表示手段）４が設けられている。液晶モニタ４は、再生映像や撮影映像を表示可能な表示手段である液晶パネル５と、液晶パネル５の後部に配置された液晶バックライト３と、を備えるバックライト式液晶表示装置である。なお、バックライト３は、直下形蛍光管あるいは導光板付き蛍光管等、種々の方式のものがあり、どの方式のものでもよい。
【００２６】
液晶パネル５は、ヒンジ部７を介してカメラ本体１に回転自在に取り付けられており、矢印Ａ方向に開閉自在で、かつ矢印Ｂ方向に回転自在となっている。ヒンジ部７の内部には、液晶モニタ４の開閉、反転を検出するスイッチが内蔵されている。
【００２７】
また、液晶モニタ４には、上下左右に操作可能な十字操作キー８が設けられており、この十字操作キー８は、カメラ本体１の設定を液晶パネル５の表示画面上で行うメニュー操作時に使用する。
【００２８】
図２は、本実施形態のビデオカメラの制御回路を説明するためのブロック図である。
【００２９】
図２に示すように、本実施形態のビデオカメラは、液晶パネル５を駆動させるＬＣＤドライブ回路１３、カラービューファインダ６を駆動させるＣＶＦドライブ回路１４を備える。
【００３０】
また、本実施形態のビデオカメラは、ビデオカメラ全体を制御するマイクロコンピュータ等からなる制御部１０、液晶モニタ４の開閉・反転状態を検出する開閉・反転検出回路１１を備える。
【００３１】
制御部１０は、開閉・反転検出回路１１より入力された情報により、ＬＣＤドライブ回路１３およびＣＶＦドライブ回路１４を制御して、液晶パネル５、カラービューファインダ６の点灯／消灯および表示画像の切り替えを行なう。
【００３２】
また、制御部１０は、十字操作キー８や操作キー９により入力された情報により、ＬＣＤドライブ回路１３を制御して、液晶パネル５の表示を全白表示と映像表示とに切り替える。
【００３３】
レンズ２０により形成された光学像（被写体像）は、撮像素子（撮像手段）２１の受光面に結像して制御部１０の制御により電気信号に変換される。
【００３４】
撮像素子２１で電気信号に変換された被写体像は、カメラ信号処理部２２及びビデオ信号処理部２３にて所定の画像処理が行なわれて、液晶パネル５およびカラービューファインダ６に表示される。
【００３５】
また、カメラ本体１に設けられた不図示の録画ボタンを押すことで、制御部１０は、カメラ本体１内のハードディスクやカメラ本体１に着脱自在に取り付けられた記録媒体に映像信号及び音声信号を記録する。
【００３６】
また、撮像素子２１で変換された被写体像の電気信号は、カメラ信号処理部２２によって、原色信号Ｒ，Ｇ，Ｂに変換されて出力される。出力された原色信号Ｒ，Ｇ，Ｂは、カメラ信号処理部２２のホワイトバランス２４にてホワイトバランス調整が行なわれ、制御部１０によって被写体像に写し出されている周囲の色温度が検出される。
【００３７】
ＬＣＤドライブ回路１３のホワイトバランス２５は、制御部１０の制御により、カメラ信号処理部２２のホワイトバランス２４に対して被写体像の周囲の色温度とビデオライトの色温度とを比較して、ビデオライトの色温度を補正する。
【００３８】
電源回路１２は、制御部１０の制御により、液晶バックライト３の電流を制御し、液晶バックライト３の輝度を調整する。ビデオ信号処理部２３は、制御部１０の制御により、映像データを映像記録方式に従って処理し、ハードディスクや着脱自在な記録媒体等の記録形態に変換する映像再生処理部である。
【００３９】
モード切り替えキー１５は、撮影画像を動画として記録するか、静止画として記録するかを選択するためのキーである。
【００４０】
ここで、液晶モニタ４の液晶パネル５が撮影者側を向いた正転状態では、液晶パネル５が点灯し、カラービューファインダー６は消灯しており、撮影者は液晶パネル５の映像を見ながら撮影する。
【００４１】
また、液晶パネル５がカメラ本体１側に向いて収納されている収納状態では、液晶パネル５が消灯し、カラービューファインダ６が点灯しており、撮影者はカラービューファインダ６を覗きながら撮影する。
【００４２】
更に、液晶パネル５が被写体側、つまりレンズ２と同方向に向いた対面状態では、液晶パネル５、カラービューファインダ６共に点灯している。
【００４３】
そして、液晶パネル５をビデオライトとして使用していない場合は、液晶パネル５の正転状態でも対面状態でも、液晶パネル５には映像が表示される。
【００４４】
一方、液晶パネル５をビデオライトとして使用する場合は、制御部１０は、被写体を写し出している周囲の色温度とビデオライトの色温度とを比較して、比較差があればビデオライトの色温度を補正するホワイトバランス２５を制御する。
【００４５】
次に、図３を参照して、本実施形態のビデオカメラの動作例について説明する。なお、図３での各処理は、不図示の記憶手段（ＲＯＭやハードディスク等）に記憶された制御プログラムがＲＡＭにロードされて、制御部１０のＣＰＵにより実行される。
【００４６】
まず、ビデオカメラの電源を投入し、液晶パネル５を撮影者側に向けた正転状態で、かつ撮影モードであれば、レンズ２から入射して撮像素子２１で光電変換された映像信号が液晶パネル５に表示される。
【００４７】
ステップＳ１では、モード切り替えキー１５でモード切り替え操作が行なわれると、制御部１０は、ステップＳ２に進む。モード切り替えには、動画と静止画、記録と再生などがある。
【００４８】
ステップＳ２では、制御部（検出手段）１０は、撮像素子２１での被写体像の周囲色温度をカメラ信号処理部２２を介して検出し、検出結果をデータとして取り込み、検出が完了するとステップＳ３に進む。
【００４９】
ステップＳ３では、制御部１０は、ユーザの十字操作キー（第１の選択手段）８によるメニュー画面の操作によりビデオライトモードに設定されているかを判断する。
【００５０】
そして、制御部１０は、ビデオライトモードに設定されている場合は、十字操作キー８からのビデオライトモードのＯＮ信号により、ＬＣＤドライブ回路１３を制御して、液晶パネル５を全白表示にする。
【００５１】
また、制御部１０は、ＣＶＦドライブ回路１４を制御して、カラービューファインダ６を強制点灯させる。
【００５２】
ビデオライトモード時には、制御部１０は、開閉・反転検出回路１１の検出結果に関係なくカラービューファインダ６を強制点灯させる。ユーザがビデオライトモード時にメニュー操作を行う場合は、カラービューファインダ６を覗いて行う。
【００５３】
また、ユーザーが液晶パネル５を図１の矢印Ｂのように回転させて、被写体側つまりレンズ２と同方向に向けることにより、液晶パネル５をビデオライトとして使用することができる。
【００５４】
その際、開閉・反転検出回路１１からの反転情報により、制御部１０は、カラービューファインダ６のメニュー画面表示（ビデオライトモード設定画面）を消去する。メニュー画面表示を消去することにより、カラービューファインダ６の映像を見易くすることができる。
【００５５】
液晶パネル５を回転させて正転状態に戻すと、カラービューファインダ６にはビデオライトモード設定画面が表示される。ビデオライトモード設定が完了すると、ステップＳ４に進む。
【００５６】
ステップＳ４では、制御部（第１の比較手段）１０は、ステップＳ２での被写体周囲の色温度の検出結果とビデオライトの色温度の設定値とを比較し、ステップＳ５に進む。
【００５７】
ステップＳ５では、制御部１０は、ステップＳ４での被写体周囲の色温度とビデオライトの色温度の設定値との比較結果に対して比較差があるのかを判断し、比較差がある場合は、ステップＳ６に進む。
【００５８】
ステップＳ６では、制御部（第１の補正手段）１０は、ＬＣＤドライブ回路１３のホワイトバランス２５を制御して、サブＢ（青）とサブＲ（赤）のブライト、コントラストなどのゲイン調整を行い、ビデオライトの色温度を前記比較差がなくなるように補正する。
【００５９】
以上説明したように、本実施形態では、被写体の周囲の色温度によって白部分の色が変化しないように、ビデオライトの色温度を補正して被写体の色温度と合わせることができるので、ホワイトバランスの調整ずれを防止して、適切な白を再現することができる。
【００６０】
（第２の実施形態）
次に、図４及び図５を参照して、本発明の第２の実施形態であるビデオカメラ（撮像装置）について説明する。
【００６１】
本実施形態のビデオカメラは、図４に示すように、ストロボ３０を備えている。なお、本実施形態では、上記第１の実施形態の図２の構成に対してストロボ３０を追加しただけであるため、重複部分の説明は省略する。
【００６２】
そして、本実施形態では、液晶パネル５をビデオライトとして使用する場合、ストロボ３０の点灯により色温度が異なるのを防止すべく、制御部１０は、ストロボ３０の点灯を強制的にＯＦＦにする。
【００６３】
次に、図５を参照して、本実施形態のビデオカメラの動作例について説明する。なお、図５での各処理は、不図示の記憶手段（ＲＯＭやハードディスク等）に記憶された制御プログラムがＲＡＭにロードされて、制御部１０のＣＰＵにより実行される。
【００６４】
まず、ビデオカメラの電源を投入し、液晶モニタ４の液晶パネル５を撮影者側に向けた正転状態で、かつ撮影モードであれば、レンズ２から入射して撮像素子２１で光電変換された映像信号が液晶パネル５に表示される。
【００６５】
ステップＳ１１では、モード切り替えキー（第２の選択手段）１５でモード切り替え操作が行なわれると、制御部１０は、ステップＳ１２に進む。モード切り替えには、動画と静止画、記録と再生などがある。
【００６６】
ステップＳ１２では、制御部１０は、静止画記録モードに切り替えられているかを判断し、静止画記録モードに切り替えられている場合は、ステップＳ１３に進む。
【００６７】
ステップＳ１３では、制御部１０は、撮像素子２１での被写体像の周囲色温度をカメラ信号処理部２２を介して検出し、検出結果をデータとして取り込み、検出が完了するとステップＳ１４に進む。
【００６８】
ステップＳ１４では、制御部１０は、ユーザの十字操作キー８によるメニュー画面の操作によりビデオライトモードに設定されているかを判断する。
【００６９】
そして、制御部１０は、ビデオライトモードに設定されている場合は、十字操作キー８からのビデオライトモードのＯＮ信号により、ＬＣＤドライブ回路１３を制御して、液晶パネル５を全白表示にする。
【００７０】
また、制御部１０は、ＣＶＦドライブ回路１４を制御して、カラービューファインダ６を強制点灯させる。
【００７１】
ビデオライトモード時には、制御部１０は、開閉・反転検出回路１１の検出結果に関係なくカラービューファインダ６を強制点灯させる。ユーザがビデオライトモード時にメニュー操作を行う場合は、カラービューファインダ６を覗いて行う。
【００７２】
また、ユーザーが液晶パネル５を図１の矢印Ｂのように回転させて、被写体側つまりレンズ２と同方向に向けることにより、液晶パネル５をビデオライトとして使用することができる。
【００７３】
その際、開閉・反転検出回路１１からの反転情報により、制御部１０は、カラービューファインダ６のメニュー画面表示（ビデオライトモード設定画面）を消去する。メニュー画面表示を消去することにより、カラービューファインダ６の映像を見易くすることができる。
【００７４】
液晶パネル５を回転させて正転状態に戻すと、カラービューファインダ６にはビデオライトモード設定画面が表示される。ビデオライトモード設定が完了すると、ステップＳ１５に進む。
【００７５】
ステップＳ１５では、制御部（制御手段）１０は、ストロボ３０の点灯を強制的にＯＦＦにすることで、ストロボ光源の色温度による影響を受けないように制御して、ステップＳ１６に進む。
【００７６】
ステップＳ１６では、制御部１０は、ステップＳ１３での被写体周囲の色温度の検出結果とビデオライトの色温度の設定値とを比較し、ステップＳ１７に進む。
【００７７】
ステップＳ１７では、制御部１０は、ステップＳ１６での被写体周囲の色温度とビデオライトの色温度の設定値との比較結果に対して比較差があるのかを判断し、比較差がある場合は、ステップＳ１８に進む。
【００７８】
ステップＳ１８では、制御部１０は、ＬＣＤドライブ回路１３のホワイトバランス２５を制御して、サブＢ（青）とサブＲ（赤）のブライト、コントラストなどのゲイン調整を行い、ビデオライトの色温度を前記比較差がなくなるように補正する。
【００７９】
以上説明したように、本実施形態では、液晶パネル５をビデオライトとして使用する場合は、ストロボ３０を強制ＯＦＦしてストロボ光源の色温度による影響を受けないように制御するので、ホワイトバランスの調整ずれを防ぎ適切な白を再現することができる。その他の構成及び作用効果は、上記第１の実施形態と同様である。
【００８０】
（第３の実施形態）
次に、図６を参照して、本発明の第３の実施形態であるビデオカメラ（撮像装置）について説明する。なお、本実施形態のビデオカメラの装置構成は、上記第２の実施形態と同様であるので、その説明を省略する。
【００８１】
本実施形態では、液晶パネル５をビデオライトとして使用している場合に、ストロボ３０を優先して点灯することができる。そして、ストロボ３０を優先して点灯した場合、ビデオライトの色温度をストロボ３０の光の色温度に補正する。
【００８２】
次に、図６を参照して、本実施形態のビデオカメラの動作例について説明する。なお、図６での各処理は、不図示の記憶手段（ＲＯＭやハードディスク等）に記憶された制御プログラムがＲＡＭにロードされて、制御部１０のＣＰＵにより実行される。
【００８３】
まず、ビデオカメラの電源を投入し、液晶モニタ４の液晶パネル５を撮影者側に向けた正転状態で、かつ撮影モードであれば、レンズ２から入射して撮像素子２１で光電変換された映像信号が液晶パネル５に表示される。
【００８４】
ステップＳ２１では、モード切り替えキー（第２の選択手段）１５でモード切り替え操作が行なわれると、制御部１０は、ステップＳ２２に進む。モード切り替えには、動画と静止画、記録と再生などがある。
【００８５】
ステップＳ２２では、制御部１０は、静止画記録モードに切り替えられているかを判断し、静止画記録モードに切り替えられている場合は、ステップＳ２３に進む。
【００８６】
ステップＳ２３では、制御部１０は、撮像素子２１での被写体像の周囲色温度をカメラ信号処理部２２を介して検出し、検出結果をデータとして取り込み、検出が完了するとステップＳ２４に進む。
【００８７】
ステップＳ２４では、制御部１０は、ユーザの十字操作キー８によるメニュー画面の操作によりビデオライトモードに設定されているかを判断する。
【００８８】
そして、制御部１０は、ビデオライトモードに設定されている場合は、十字操作キー８からのビデオライトモードのＯＮ信号により、ＬＣＤドライブ回路１３を制御して、液晶パネル５を全白表示にする。
【００８９】
また、制御部１０は、ＣＶＦドライブ回路１４を制御して、カラービューファインダ６を強制点灯させる。
【００９０】
ビデオライトモード時には、制御部１０は、開閉・反転検出回路１１の検出結果に関係なくカラービューファインダ６を強制点灯させる。ユーザがビデオライトモード時にメニュー操作を行う場合は、カラービューファインダ６を覗いて行う。
【００９１】
また、ユーザーが液晶パネル５を図１の矢印Ｂのように回転させて、被写体側つまりレンズ２と同方向に向けることにより、液晶パネル５をビデオライトとして使用することができる。
【００９２】
その際、開閉・反転検出回路１１からの反転情報により、制御部１０は、カラービューファインダ６のメニュー画面表示（ビデオライトモード設定画面）を消去する。メニュー画面表示を消去することにより、カラービューファインダ６の映像を見易くすることができる。
【００９３】
液晶パネル５を回転させて正転状態に戻すと、カラービューファインダ６にはビデオライトモード設定画面が表示される。ビデオライトモード設定が完了すると、ステップＳ２５に進む。
【００９４】
ステップＳ２５では、制御部１０は、ステップＳ２３での被写体周囲の色温度の検出結果とビデオライトの色温度の設定値とを比較し、ステップＳ２６に進む。
【００９５】
ステップＳ２６では、制御部１０は、ステップＳ２５での被写体周囲の色温度とビデオライトの色温度の設定値との比較結果に対して比較差があるのかを判断し、比較差がある場合は、ステップＳ２７に進む。
【００９６】
ステップＳ２７では、制御部１０は、ＬＣＤドライブ回路１３のホワイトバランス２５を制御して、サブＢ（青）とサブＲ（赤）のブライト、コントラストなどのゲイン調整を行い、ビデオライトの色温度を前記比較差がなくなるように補正する。
【００９７】
次に、ステップＳ２８では、制御部１０は、操作キー９や十字操作キー８の操作によってストロボ３０を優先して使用する設定がされているかを判断する。
【００９８】
そして、制御部１０は、ストロボ３０を優先して使用する設定がされている場合は、ストロボ３０を使用可能にしてステップＳ２９に進む。
【００９９】
ステップＳ２９では、制御部（第２の比較手段）１０は、ステップＳ２７での補正後のビデオライトの色温度とストロボ３０の光の色温度とを比較し、ステップＳ３０に進む。
【０１００】
ステップＳ３０では、制御部１０は、ステップＳ２９での補正後のビデオライトの色温度とストロボ３０の光の色温度との比較結果に対して色温度の比較差があるかを判断し、比較差がある場合は、ステップＳ３１に進む。
【０１０１】
ステップＳ３１では、制御部（第２の補正手段）１０は、ＬＣＤドライブ回路１３のホワイトバランス２５を制御して、サブＢ（青）とサブＲ（赤）のブライト、コントラスト等のゲイン調整を行い、ビデオライトの色温度を前記比較差がなくなるように補正する。
【０１０２】
以上説明したように、本実施形態では、ストロボ３０を優先して使用する場合は、ビデオライトの色温度をストロボ３０の光の色温度に合うように補正しているので、ホワイトバランスの調整ずれを防ぎ適切な白を再現することができる。その他の構成及び作用効果は、上記第１の実施形態と同様である。
【０１０３】
（第４の実施形態）
次に、図７を参照して、本発明の第４の実施形態であるビデオカメラ（撮像装置）について説明する。なお、本実施形態のビデオカメラの装置構成は、上記第２の実施形態と同様であるので、その説明を省略する。
【０１０４】
本実施形態では、液晶パネル５をビデオライトとして使用している場合に、ストロボ３０を優先して点灯すると、ビデオライトを強制消灯にする。
【０１０５】
次に、図７を参照して、本実施形態のビデオカメラの動作例について説明する。なお、図７での各処理は、不図示の記憶手段（ＲＯＭやハードディスク等）に記憶された制御プログラムがＲＡＭにロードされて、制御部１０のＣＰＵにより実行される。
【０１０６】
まず、ビデオカメラの電源を投入し、液晶モニタ４の液晶パネル５を撮影者側に向けた正転状態で、かつ撮影モードであれば、レンズ２から入射して撮像素子２１で光電変換された映像信号が液晶パネル５に表示される。
【０１０７】
ステップＳ４１では、モード切り替えキー（第２の選択手段）１５でモード切り替え操作が行なわれると、制御部１０は、ステップＳ４２に進む。モード切り替えには、動画と静止画、記録と再生などがある。
【０１０８】
ステップＳ４２では、制御部１０は、静止画記録モードに切り替えられているかを判断し、静止画記録モードに切り替えられている場合は、ステップＳ４３に進む。
【０１０９】
ステップＳ４３では、制御部１０は、撮像素子２１での被写体像の周囲色温度をカメラ信号処理部２２を介して検出し、検出結果をデータとして取り込み、検出が完了するとステップＳ４４に進む。
【０１１０】
ステップＳ４４では、制御部１０は、ユーザの十字操作キー８によるメニュー画面の操作によりビデオライトモードに設定されているかを判断する。
【０１１１】
そして、制御部１０は、ビデオライトモードに設定されている場合は、十字操作キー８からのビデオライトモードのＯＮ信号により、ＬＣＤドライブ回路１３を制御して、液晶パネル５を全白表示にする。
【０１１２】
また、制御部１０は、ＣＶＦドライブ回路１４を制御して、カラービューファインダ６を強制点灯させる。
【０１１３】
ビデオライトモード時には、制御部１０は、開閉・反転検出回路１１の検出結果に関係なくカラービューファインダ６を強制点灯させる。ユーザがビデオライトモード時にメニュー操作を行う場合は、カラービューファインダ６を覗いて行う。
【０１１４】
また、ユーザーが液晶パネル５を図１の矢印Ｂのように回転させて、被写体側つまりレンズ２と同方向に向けることにより、液晶パネル５をビデオライトとして使用することができる。
【０１１５】
その際、開閉・反転検出回路１１からの反転情報により、制御部１０は、カラービューファインダ６のメニュー画面表示（ビデオライトモード設定画面）を消去する。メニュー画面表示を消去することにより、カラービューファインダ６の映像を見易くすることができる。
【０１１６】
液晶パネル５を回転させて正転状態に戻すと、カラービューファインダ６にはビデオライトモード設定画面が表示される。ビデオライトモード設定が完了すると、ステップＳ４５に進む。
【０１１７】
ステップＳ４５では、制御部１０は、ステップＳ４３での被写体周囲の色温度の検出結果とビデオライトの色温度の設定値とを比較し、ステップＳ４６に進む。
【０１１８】
ステップＳ４６では、制御部１０は、ステップＳ４５での被写体周囲の色温度とビデオライトの色温度の設定値との比較結果に対して比較差があるのかを判断し、比較差がある場合は、ステップＳ４７に進む。
【０１１９】
ステップＳ４７では、制御部１０は、ＬＣＤドライブ回路１３のホワイトバランス２５を制御して、サブＢ（青）とサブＲ（赤）のブライト、コントラストなどのゲイン調整を行い、ビデオライトの色温度を前記比較差がなくなるように補正する。
【０１２０】
次に、ステップＳ４８では、制御部１０は、操作キー９や十字操作キー８の操作によってストロボ３０を優先して使用する設定がされているかを判断する。
【０１２１】
そして、制御部１０は、ストロボ３０を優先して使用する設定がされている場合は、ストロボ３０を使用可能にしてステップＳ４９に進む。
【０１２２】
ステップＳ４９では、制御部（制御手段）１０は、ビデオライトモードを強制解除して液晶パネル５のビデオライトを強制的に消灯し、処理を終了する。
【０１２３】
以上説明したように、本実施形態では、ストロボ３０を優先して使用する場合は、ストロボ３０を優先して点灯すると、ビデオライトを強制的に消灯するため、ホワイトバランスの調整ずれを防ぎ適切な白を再現することができる。その他の構成及び作用効果は、上記第１の実施形態と同様である。
【０１２４】
なお、本発明は、上記実施形態に例示したものに限定されるものではなく、本発明の要旨を逸脱しない範囲において適宜変更可能である。
【０１２５】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１２６】
この場合、記憶媒体から読み出されたプログラムコード自体が前述した実施の形態の機能を実現することになり、そのプログラムコード及び該プログラムコードを記憶した記憶媒体は本発明を構成することになる。
【０１２７】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１２８】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１２９】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０１３０】
【図１】本発明の第１の実施形態であるビデオカメラ（撮像装置）を説明するための外観斜視図である。
【図２】本発明の第１の実施形態であるビデオカメラの制御回路を説明するためのブロック図である。
【図３】本発明の第１の実施形態であるビデオカメラの動作例を説明するためのフローチャート図である。
【図４】本発明の第２の実施形態であるビデオカメラの制御回路を説明するためのブロック図である。
【図５】本発明の第２の実施形態であるビデオカメラの動作例を説明するためのフローチャート図である。
【図６】本発明の第３の実施形態であるビデオカメラの動作例を説明するためのフローチャート図である。
【図７】本発明の第４の実施形態であるビデオカメラの動作例を説明するためのフローチャート図である。
【図８】従来のビデオカメラを説明するための外観斜視図である。
【図９】従来のビデオカメラの液晶モニタの制御回路を説明するためのブロック図である。
【符号の説明】
【０１３１】
１    カメラ本体
２    レンズ
３    液晶バックライト
４    液晶モニタ
５    液晶パネル
６    カラービューファインダ
７    ヒンジ部
８    十字操作キー
９    操作キー
１０  制御部
１１  開閉・反転検出回路
１２  電源回路
１３  ＬＣＤドライブ回路
１４  ＣＶＦドライブ回路
１５  モード切り替えキー
２１  撮像素子
２２  カメラ信号処理部
２３  ビデオ信号処理部
３０  ストロボ
【図１】
2009118399.tif 000003
【図２】
2009118399.tif 000004
【図３】
2009118399.tif 000005
【図４】
2009118399.tif 000006
【図５】
2009118399.tif 000007
【図６】
2009118399.tif 000008
【図７】
2009118399.tif 000009
【図８】
2009118399.tif 000010
【図９】
2009118399.tif 000011